(57)【特許請求の範囲】
【請求項１】
携帯電話装置（８）へのデータ転送におけるエラー・レート決定方法であって、下記の工程：
−テストされている前記携帯電話装置（８）に送信ブロック（１４．０、．．．、１４．１１、１５．０、．．．、１５．１１および１６．０、．．．、１６．１１）を送信する工程；
−前記テストされている携帯電話装置（８）により前記送信ブロックを受信し、評価する工程；
−正確であると評価された送信ブロックまたは不正確であると評価された送信ブロックについて前記携帯電話装置（８）により第１および／または第２の標識（「ａｃｋ」、「ｎａｃｋ」）を送信する工程；
−前記携帯電話装置（８）に送信され、かつ前記テストされている携帯電話装置（８）により不正確であると評価された送信ブロックの数を決定する工程；
−前記不正確であると評価された送信ブロックの数からエラー・レートを決定する工程であって、前記テストされている携帯電話装置（８）宛ての送信ブロック（Ｂ０0、Ｂ３0、Ｂ６0、Ｂ９0；Ｂ０1、Ｂ１1、Ｂ５1、Ｂ１０1；Ｂ０2、Ｂ１2、Ｂ５2、Ｂ１０2、Ｂ１3、Ｂ３3、Ｂ５3、Ｂ７3、Ｂ９3）の数が、多ブロック（２０、２１、２２、２３）を構成する固定数の送信ブロック（Ｂ０0、Ｂ３0、Ｂ６0、Ｂ９0；Ｂ０1、Ｂ１1、Ｂ５1、Ｂ１０1；Ｂ０2、Ｂ１2、Ｂ５2、Ｂ１０2、Ｂ１3、Ｂ３3、Ｂ５3、Ｂ７3、Ｂ９3）のうちから、前記多ブロック（２０、２１、２２、２３）当たり1つの送信ブロックと前記多ブロック（２０、２１、２２、２３）のすべての送信ブロックとの間で変動可能に特定される、工程
を備える方法。
【請求項２】
請求項１に記載の方法であって、
複数の送信チャンネル(１４、１５、１６)の１つ以上の送信ブロックをそれぞれ前記携帯電話装置に送信することを特徴とする方法。
【請求項３】
請求項２に記載の方法であって、前記テストされている携帯電話装置に送信される前記多ブロック（２０、２１、２２、２３）の前記送信ブロック（Ｂ０0 、Ｂ３0 、Ｂ６0 、Ｂ９0 ；Ｂ０1 、Ｂ１1 、Ｂ５1 、Ｂ１０1 ；Ｂ０2 、Ｂ１2 、Ｂ５2 、Ｂ１０2 、Ｂ１3 、Ｂ３3 、Ｂ５3 、Ｂ７3 、Ｂ９3 ）の前記数および／または配置を前記送信チャンネルのそれぞれについて特定することを特徴とする方法。
【請求項４】
請求項２または３に記載の方法であって、
前記テストされている携帯電話装置（８）により使用されている各送信チャンネル（１４、１５、１６）について、多ブロック（２０、２１、２２、２３）の少なくとも１つの送信ブロック（Ｂ０0 、．．．、Ｂ１１0 ；Ｂ０1 、．．．、Ｂ１１1 ；Ｂ０2 、．．．、Ｂ１１2 ）を前記テストされている携帯電話装置（８）に送信することを特徴とする方法。
【請求項５】
請求項１から４のいずれか一項に記載の方法であって、
前記携帯電話装置（８）に送信される送信ブロックの数は、時間的に連続して配置された同じ送信チャンネル（１４、１５、１６）の多ブロックについて定数であることを特徴とする方法。
【請求項６】
請求項１から４のいずれか一項に記載の方法であって、
前記携帯電話装置（８）に送信される送信ブロックの数は、相互に時間的に連続して配置された同じ送信チャンネルの多ブロック毎に変動させられることを特徴とする方法。
【請求項７】
請求項１から６のいずれか一項に記載の方法であって、
前記テストされている携帯電話装置（８）に送信される前記送信ブロック（Ｂ０0、Ｂ３0、Ｂ６0、Ｂ９0；Ｂ０2、Ｂ５2、Ｂ１０2）は多ブロック（２０、２２）内でほぼ均一に配置されることを特徴とする方法。
【請求項８】
請求項１から６のいずれか一項に記載の方法であって、
前記テストされている携帯電話装置（８）に送信された前記送信ブロック（Ｂ０1 、Ｂ１1 、Ｂ５1 、Ｂ１０1 ）が多ブロック（２１）内で無作為に配列されていることを特徴とする方法。
【請求項９】
携帯電話装置へのデータ送信におけるエラー・レート決定用テスターであって、
送信ブロックを送信するための送信装置（２６．１）、
前記携帯電話装置（８）により送信された第１および／または第２の標識（「ａｃｋ」、「ｎａｃｋ」）を受信するための受信装置（２６．２）、
前記受信された第１および／または第２の標識（「ａｃｋ」、「ｎａｃｋ」）から前記携帯電話装置（８）により不正確であると評価された送信ブロックの数を決定し、かつ前記不正確であると評価された送信ブロックのエラー・レートを決定するための評価装置（２７）、および
前記携帯電話装置（８）宛の送信ブロック（Ｂ０0、．．．、Ｂ１１0；Ｂ０1、．．．、Ｂ１１1；Ｂ０2、．．．、Ｂ１１2、Ｂ０3、．．．、Ｂ１１3）の数を、多ブロック（２０、２１、２２、２３）を構成する固定数の送信ブロック（Ｂ０0、Ｂ３0、Ｂ６0、Ｂ９0；Ｂ０1、Ｂ１1、Ｂ５1、Ｂ１０1；Ｂ０2、Ｂ１2、Ｂ５2、Ｂ１０2、Ｂ１3、Ｂ３3、Ｂ５3、Ｂ７3、Ｂ９3）のうちから、前記多ブロック（２０、２１、２２、２３）当たり１つの送信ブロックと前記多ブロック（２０、２１、２２、２３）当たりすべての送信ブロック（Ｂ０0 、．．．、Ｂ１１0 ；Ｂ０1 、．．．、Ｂ１１1 ；Ｂ０2 、．．．、Ｂ１１2 、Ｂ０3 、．．．、Ｂ１１3 ）の間で、変動可能に特定するための選択装置（２８）
を備えるテスター。
【請求項１０】
請求項９に記載のテスターであって、
前記選択装置（２８）は、前記携帯電話装置（８）に複数の送信チャンネル（１４、１５、１６）の１つ以上の送信ブロック（１４．０、．．．、１４．１１；１５．０、．．．、１５．１１；１６．０、．．．、１６．１１）を宛てることを特徴とするテスター。
【請求項１１】
請求項１０に記載のテスターであって、
前記複数の送信チャンネル（１４、１５、１６）について別個に、前記携帯電話装置（８）宛の前記送信ブロック（１４、１５、１６）の１つ以上の送信ブロック（１４．０、．．．、１４．１１；１５．０、．．．、１５．１１；１６．０、．．．、１６．１１）の前記数および／または配置を特定する手段（２８．１）を備えることを特徴とするテスター。
【請求項１２】
請求項９〜１１のいずれか一項に記載のテスターであって、
前記テストされている携帯電話装置宛の前記送信ブロックの数を相互に時間的に連続して配置された多ブロック毎に前記選択装置（２８）により変動可能であることを特徴とするテスター。
【請求項１３】
請求項９〜１２のいずれか一項に記載のテスターであって、
前記選択装置（２８）は、前記テストされている携帯電話装置宛の前記送信ブロック（Ｂ０0、Ｂ３0、Ｂ６0、Ｂ９0；Ｂ０2、Ｂ１2、Ｂ５2、Ｂ１０2）を多ブロック（２０、２２）内でほぼ均一に配置するための手段（２８．１）を備えることを特徴とするテスター。
【請求項１４】
請求項９〜１２のいずれか一項に記載のテスターであって、
前記選択装置（２８）は、前記テストされている携帯電話装置宛の多ブロック（２１）の前記送信ブロック（Ｂ０1 、Ｂ１1 、Ｂ５1 、Ｂ１０1 ）を無作為に配置するための手段（２８．１）を備えることを特徴とするテスター。
【発明の詳細な説明】
【技術分野】
【０００１】
本発明は、ブロック割当が可変可能なデータ伝送の場合の携帯電話のエラー・レート決定方法およびテスターに関する。
【背景技術】
【０００２】
図５に、例えば非特許文献１に記載されているような既知のＧＳＭ形態電話システムの基本構造を簡略化した形で示す。ＧＳＭ標準に従って構築されたこの種の携帯電話システムでは、例えば図５に示す自動車１に配置されている携帯電話装置は基地局２と通信する。
【０００３】
基地局２と携帯電話装置の間で情報を送信するには、下り回線信号３を基地局２から携帯電話装置に送信し、上り回線信号４を携帯電話装置から基地局２に戻し送信する。下り回線信号３と上り回線信号４を相互に分離した状態に保つために、両信号を異なる搬送周波数で送信する（ＦＤＤ、周波数分割二重通信）。
【０００４】
下り回線信号３および上り回線信号４の情報通信は連続的に起きるのではなく、いわゆるバーストで起きる。その場合、個々の下り回線信号３または上り回線信号４の８つのそのようなバーストが一緒にフレームを形成する。図５において、この種の下り回線フレームを符号５により示し、対応する上り回線フレームを符号６で示す。この場合、各バーストはフレームのタイムスロット内に送信される。これらのタイムスロットは連続的に０〜７までの番号をつける。下り回線フレーム５は第１の搬送周波数ｆ1DL で送信され、上り回線フレーム６は対応する搬送周波数ｆ1UL で送信される。
【０００５】
情報は下り回線信号３または上り回線信号４の個々のバーストにおいてのみ送信される。このため、１つ以上のフレームの所与のタイムスロット０〜７が基地局２により自動車１の携帯電話装置に割り当てられる。一連の下り回線フレーム５および上り回線フレーム６の各タイムスロット０〜７が基地局２と自動車１の携帯電話装置の間の情報交換のための送信チャンネルを形成する。従って、第１の搬送周波数ｆ1DL と上り回線信号４の対応する搬送周波数ｆ1UL に対して、８つの送信チャンネルが存在するので、この１対の搬送周波数で８つの携帯電話装置が相互に独立に基地局２と情報交換することができる。
【０００６】
第１の搬送周波数ｆ1DL と上り回線信号４の対応する搬送周波数ｆ1UL に加えて、下り回線信号３が提供され、かつこれらに対応する搬送周波数が上り回線信号４に対して提供される。１フレームに８つのタイムスロット０〜７を有するＴＤＭＡ構造の結果、図５に図示するＧＳＭ９００の状況、すなわち、すべての通信チャンネルが相互に独立である状況で１２４個の搬送周波数対のそれぞれに対して８つの送信チャンネルが存在する。従って、各搬送周波数対用の８つの送信チャンネルは１２４個の独立の搬送周波数対と一緒に全部で９９２個の送信チャンネルを提供する。
【０００７】
いくつかの携帯電話装置に対して１つの送信チャンネルを同時に使用してこの種の携帯電話システムの送信能力の利用を改善することは既知である。送信チャンネル内では、携帯電話は基地局から通信を受け、それのよりいくつかの携帯電話装置のうちのどれがどのタイムスロットに基地局からデータを受信したかが特定される。
【０００８】
下り回線信号３または上り回線信号４の４つの連続フレームの対応するタイムスロットは一緒にそれぞれの送信チャンネルの送信ブロックを形成する。基地局から送信される１つの送信ブロックに対して、アドレス信号を用いて、同じ送信チャンネル内で基地局と通信している携帯電話のうちどれに対して基地局から送信ブロックが送信されているかを特定することが可能である。
【０００９】
もう一度、より簡略化した形で、図６はこの種のシステムを図示している。基地局２と通信するために１つの送信チャンネルを共同使用する全部で８つの携帯電話装置７が示される。これは、下り回線フレーム５および上り回線フレーム６の所与のタイムスロットが携帯電話装置７と基地局２の間の情報の送信に使用されることを意味する。基地局２から所与の携帯電話装置８に送信ブロックにおいてデータを送信するためには、所与の携帯電話装置８宛のアドレス信号ＡＤＲを下り回線信号９の各送信ブロックにおいて送信する。このアドレス信号ＡＤＲを評価することにより、携帯電話装置８はその送信ブロックに含まれる情報がこの携帯電話装置に送信されたことを認識する。他の携帯電話装置７はこのアドレス信号ＡＤＲを自身のものとは認識せず、その送信ブロックの情報を拒否する。基地局２は各携帯電話装置７と、例えば接続を確立するときに通信し、送信ブロックのどれにおいて携帯電話装置７が実際にアドレス信号ＡＤＲを評価しているかを伝える。
【００１０】
この場合、携帯電話はすべて契約者の装置であり、基地局２と通信する。携帯電話装置８が受信した送信ブロックのデータの正確さが、例えば、チェックサムを使用してチェックされる。携帯電話装置８に充てられ、受信された送信ブロックのそれぞれについて、基地局２は要求すると、どの送信ブロックが正確に受信され、評価されたかを知らされる。従って、基地局２の要求時に、携帯電話装置８は、確認信号を、例えば正確であると評価された送信ブロックのそれぞれについては、第１の標識「ａｃｋ」（確認、ａｃｋｎｏｗｌｅｄｇｅｄ）を、そして不正確であると評価された送信ブロックのそれぞれについては第２の標識「ｎａｃｋ」（未確認、ｎｏｔ  ａｃｋｎｏｗｌｅｄｇｅｄ）を送信する。携帯電話装置８に完全な情報を正確に通信するためには、基地局２は、例えば第２の通信信号「ｎａｃｋ」を受信した各送信ブロックを再送信する。
【００１１】
携帯電話装置の開発において、および製造中の装置の試験において、受信され、不正確であると評価された送信ブロックの数を決定し、これらを、この携帯電話に対して送信されおよび／または宛てられたもの全体としての数と比較することが必要である。所与のレベルと所与の条件で、許容された最大閾値の１０パーセント（％）が、例えばＥＧＰＲＳ用の仕様において、このようにして決定されたエラー・レート（ＢＬＥＲ、ブロック・エラー・レート）に対して与えられる。
【００１２】
【非特許文献１】工学博士クラウス・デービッドおよび工学博士トルステン・ベンクナー著、「デジタル携帯電話システム」、ベー．ゲー．トイプナー社、シュツットガルト、１９９６年、３２６〜３４１頁（Ｄｒ．−Ｉｎｇ．Ｋｌａｕｓ  Ｄａｖｉｄ  ｕｎｄ  Ｄｒ．−Ｉｎｇ．Ｔｈｏｒｓｔｅｎ  Ｂｅｎｋｎｅｒ，Ｂ．Ｇ．Ｔｅｕｂｎｅｒ  Ｓｔｕｔｔｇａｒｔ  １９９６，Ｓｅｉｔｅ  ３２６  びｓ  ３４１）
【発明の開示】
【発明が解決しようとする課題】
【００１３】
本発明は、携帯電話装置の種々の要件に対するエラー・レートを決定することが可能な、エラー・レートを決定する方法およびテスターを提供することを目的とする。
【課題を解決するための手段】
【００１４】
上述の目的は請求項１に記載の本発明の方法および請求項９に記載の本発明のテスターにより達成される。
【００１５】
本発明に従い携帯電話装置のエラー・レートを決定するために、送信ブロックを携帯電話装置に送信して携帯電話装置がこれらの送信ブロックを受信し、かつ正確であると評価したか否かを決定する。テストされている携帯電話装置宛の、正確であると評価された送信ブロックの数が戻し送信された「ａｃｋ」または「ｎａｃｋ」標識から決定され、携帯電話装置のエラー・レートがこの数から決定される。
【００１６】
送信ブロックに含まれるデータを評価する際に、送信された送信ブロックがすべて、テストされている携帯電話装置宛のアドレス信号ＡＤＲを含んでいるならば、携帯電話装置は特に大きなストレスにさらされる。従って、本発明では、テストされている携帯電話装置宛の多ブロックの送信ブロックの数が特定される。この場合、多ブロックは送信チャンネルの連続する送信ブロックの固定数からなる。テストされている携帯電話装置宛ての、アドレス信号ＡＤＲを持つ送信ブロックの数のこの変動仕様の結果、テストされている携帯電話装置へのストレスに対して狙いを絞って影響を与えることが可能である。それによって、例えば、ストレスが増加したときのエラー・レートの増加に関しての評価も可能となる。
【００１７】
従属請求項は本発明の方法およびテスターのさらなる利点に関する。
【発明を実施するための最良の形態】
【００１８】
以下に、図面を参照して、本発明を詳細に説明する。
【００１９】
再び、図１に例示のために下り回線信号の構造を示す。この信号全体は個々のフレームの連結からなる。ここに、８つのフレーム９．１〜９．８が示されており、フレーム９．１〜９．８のそれぞれがさらに細分されている。フレーム９．１〜９．８はタイムスロットに細分され、８つのタイムスロットが１つのフレーを形成する。個々のタイムスロットは連続的に０〜７の番号を付される。
【００２０】
基地局２と携帯電話装置の間に送信される情報の最小単位は１つの送信ブロックにより形成される。この種の送信ブロックは、それぞれ、４つの連続するフレームにおける１つの所与のタイムスロットからなる。例えば、図１は第１の４つのフレーム９．１〜９．４に対してこの種の送信ブロックの３つの例を示す。第１の送信ブロック１１．０（Ｂ０0 ）が、４つのフレーム９．１〜９．４のうち、例えば０の番号のタイムスロットから形成される。
【００２１】
対応して、第２の送信ブロック１２．０（Ｂ０1 ）が同じフレーム９．１〜９．４のうちの番号１を持つタイムスロットにより形成され、一方、図に示す第３の送信ブロック１３．０（Ｂ０2 ）がフレーム９．１〜９．４のうちの番号２を持つタイムスロットにより形成される。
【００２２】
対応して、３つのさらなる送信ブロックＢ１0 、Ｂ１1 およびＢ１2 が０、１および２の番号のタイムスロットを持つフレーム９．５、９．６、９．７および９．８により形成される。冒頭に既に説明したように、相互に連続するフレーム９．１〜９．８の対応するタイムスロットは１つの送信チャンネルを形成し、この送信チャンネルにおいて携帯電話装置が基地局と通信する。従って、図示した例は、２つの個々の相互に連続する送信ブロックを、第１の送信チャンネルに対しては１１．０（Ｂ０0 ）および１１．１（Ｂ１0 ）を、第２の送信チャンネルに対しては１２．０（Ｂ０1 ）および１２．１（Ｂ１1 ）を、そして第３の送信チャンネルに対しては１３．０（Ｂ０2 ）および１３．１（Ｂ１2 ）を示す。
【００２３】
携帯電話装置と基地局２の間の通信は従ってこの種の単一の送信チャンネルに制限されない。逆に、携帯電話装置と基地局２の間で送信可能なデータの量を増加するためには、フレーム９．１〜９．８のタイムスロット０〜７の任意の数を携帯電話装置と基地局２の間の通信に使用することができる。携帯電話装置が基地局２と通信するタイムスロット０〜７の数は、従って、フレームのタイムスロット０〜７の１個と８個すべてとの間で変えることが可能である。
【００２４】
例えば、第１の送信チャンネルの送信ブロック１１．０および１１．１、第２の送信チャンネルの送信ブロック１２．０および１２．１および第３の送信チャンネルの送信ブロック１３．０および１３．１を持つ図１に示す３つの送信チャンネルはすべて基地局２と携帯電話装置の間のデータ送信に使用することが可能である。
【００２５】
図２にさらなる時間的経過を模式的に示す。ここで、例示的に図１を参照して説明した３つの送信チャンネルを、第１の送信チャンネル１４、第２の送信チャンネル１５および第３の送信チャンネル１６として再び示す。第１の送信チャンネル１４の個々の送信ブロックＢ０0 〜Ｂ１１0 を参照符号１４．０、１４．１．．．１４．１１により示す。対応して、第２の送信チャンネルの個々の送信ブロックＢ０1 〜Ｂ１１1 を参照符号１５．０〜１５．１１で示し、第３の送信チャンネルの送信ブロックＢ０2 〜Ｂ１１2 を参照符号１６．０〜１６．１１で示す。
【００２６】
各送信チャンネル１４、１５および１６に対して、図示した１２個の連続する送信ブロック１４．０〜１４．１１、１５．０〜１５．１１および１６．０〜１６．１１はそれぞれ対応する送信チャンネル１４、１５および１６の多ブロックを形成する。図示した送信ブロックＢ０1 〜Ｂ１１1 のそれぞれを携帯電話装置７の所与の１つにアドレス信号ＡＤＲを用いて割当てる。このアドレス信号ＡＤＲは基地局２からの下り回線信号９の複数の送信ブロックのそれぞれの送信ブロックのヘッダーに含まれ送信される。
【００２７】
携帯電話装置のデータ評価の品質の尺度を提供するために、携帯電話装置により不正確であると評価された下り回線信号の送信ブロックの数を決定する。このために、基地局からリクエストがあったときに携帯電話装置により基地局に戻し送信される、に対応する標識を評価する。
【００２８】
例えば、送信チャンネル１４に関しては、基地局２がテストされている携帯電話装置に送信する送信ブロック１４．０〜１４．１１の数を送信チャンネル１４の多ブロック内の複数の送信ブロックのうち送信ブロック１個だけから最大数である１２個全部の送信ブロック１４．０〜１４．１１の間を変化し得るように本発明に従って特定する。従って、テストされている携帯電話装置にかかるストレスに狙いをつけてこれに影響を与えることが可能である。
【００２９】
テストされている携帯電話装置により実行される個々の評価アルゴリズムの間にはかなり時間間隔があるので、テストされている携帯電話装置宛ての孤立した送信ブロックによりテストされている携帯電話装置かかるストレスはわずかであるが、例えば最大１２個の送信ブロック１４．０〜１４．１１で送信チャンネル１４のエラー・レートを決定するときには、送信ブロック１４．０〜１４．１１の法花に最大のストレスが生じる。
【００３０】
好ましくは、エラー・レートの決定は、送信チャンネル１４内においてテストされている携帯電話装置に送信される送信ブロックの数の評価によるだけでなく、さらに複数のタイムスロットを用いて、すなわち、例えば第２の送信チャンネル１５および第３の送信チャンネル１６を追加的に使用し、かつこれらの送信チャンネルにおけるテストされている携帯電話装置宛ての送信ブロックをも送信することにより行う。本発明の方法の一つの好適な実施形態によれば、使用する送信チャンネルの数もまた、フレームのタイムスロットにより決定される送信チャンネルのうちの１つだけの送信チャンネル乃至複数の送信チャンネルのすべてとの間を変動可能に調整することが可能である。冒頭に提示した携帯電話装置野例では、フレームのそれぞれ８つのタイムスロットに対して８つの送信チャンネルがある。
【００３１】
この状況では、テストされている携帯電話装置宛の送信ブロックの数は使用した個々の送信チャンネルとは別個に特定することができる。基地局２と携帯電話装置８との間に通信が起きる送信チャンネルの仕様は好ましくは接続を確立する際に実装される。例えば、データ・レートを増加するために基地局２からテストされている携帯電話装置８にデータを送信するのに使用される送信ブロックを多くすると、携帯電話装置８と基地局２との間で送信チャンネルに関する新しい合意がなされ、この合意がさらに指示があるまで適用される。
【００３２】
例えば、図４は、基地局２または基地局をエミュレートするテスターと多ブロック２０、２１、２２および２３によりそれぞれ表される４つの送信チャンネルにおいて通信中の、エラー・レートを決定すべき携帯電話装置を示す。本発明によるこの種のテスターの概略構造を以下に図３を参照して説明する。個々の送信ブロックＢ０1 〜Ｂ０11においてそれぞれ指標「０」および「１」で標識された、最初の２つの送信チャンネル２０および２１において、４つの送信ブロックがそれぞれ携帯電話装置８に送信される。換言すれば、これらの送信ブロックは対応するアドレス信号ＡＤＲをヘッダーに含み、指標「２」および「３」をもつ送信チャンネルはそれぞれ３つまたは４つの送信ブロックを含み、これらの送信ブロックはテストされている携帯電話装置宛である。基地局２からテストされている携帯電話装置に送信されるデータを矢印で示す。
【００３３】
他の送信ブロックは、好ましくは、ダミー・データ、例えば情報内容を持たない所定のデータ・レコードを含むことが可能である。この場合は、４つのタイムスロットが関連して１つの送信ブロックを形成するのを取り消すことも可能である。テストされている携帯電話装置宛でない送信ブロックについては、これらの送信ブロックがテストされている携帯電話装置にいかなる情報も送信しない限り、原則としてどのような対策をとることも許容される。例えば、他の携帯電話装置に送信したり、レベルを低下したりすることができる。
【００３４】
図４は、異なる送信チャンネルにおいて、携帯電話装置に送信される送信ブロックの数を等しくして、それぞれテストされている携帯電話装置宛ての送信ブロックの配置に同一または異なるパターンを使用する可能性を示す。例えば、テストされている携帯電話装置に送信される４つの送信ブロックを参照符号２０で特定される多ブロックに対して図示されたように、多ブロックの送信ブロックにより均一に配置することが可能である。
【００３５】
しかしながら、携帯電話装置に送信される第２の多ブロック２１の送信ブロックＢ０1 〜Ｂ１１1 は不規則に分布している。多ブロック内の配置は、例えば、純粋に無作為にすることにより統計的な分布を提供し、測定を実行する際の系統誤差の発生する確立を低下させることが可能である。
【００３６】
第３の多ブロック２２に対しては、テストされている携帯電話装置に送信される送信ブロックの均一な分布を再び図示する。この場合、テストされている携帯電話装置宛ての送信ブロックの数は２つの多ブロック２０および２１と比べて減少している。
【００３７】
同様に、個々の送信チャンネルの多ブロック内の送信ブロックの数と配置をすべての多ブロックおよび送信チャンネルについて同じであるように選択することが可能である。
【００３８】
特に、テストされている携帯電話装置宛の送信ブロックの異なる配置および相互に異なる数を相互に時間的に連続して配置された同じ送信チャンネルの多ブロックについて決定することも可能である。これは、エラー・レートの決定を携帯電話装置の変動可能な条件について定義仕様とする場合に特に有利である。
【００３９】
本発明に従うテスター２５およびテストされている携帯電話装置１との配置をより簡略化した形で図３に示す。本発明のテスター２５は、送受信装置２６を備え、送受信装置２６は下り回線信号を送信するための送信装置２６．１と、テストされている携帯電話装置３１により送信された上り回線信号を、アンテナ３２を介して受信するための受信装置２６．２を備える。データは携帯電話装置３１とテスター２５との間にアンテナ３０、２３を介して、または接続ケーブルを介して送信される。
【００４０】
メッセージ信号、すなわち、確認信号「ａｃｋ」および「ｎａｃｋ」を含み、テストされている携帯電話装置３１により送信される信号が受信装置２６．２により受信される。受信装置２６．２は評価部２７に接続され、評価部２７は下り回線信号のうち、正確であると評価された、または不正確であると評価された送信ブロックの数を記録する。正確であると評価された送信ブロックの数が決定されるならば、対応する不正確であると評価された送信ブロックの数は計算により求めることが可能である。
【００４１】
評価部２７は、また、コンピュータ部を備え、このコンピュータ部は不正確であると評価された送信ブロックの数から携帯電話装置３１のエラー・レートを決定するのに適している。
【００４２】
評価部２７において決定されたエラー・レートは、次いで表示装置２９に表示される。表示装置２９上の表示は数値を表示することにより、または相当するグラフィック表示により提供することができる。統合表示装置２９の代わりに、図３に例示的に示すように、出力は、もちろん、例えば接続されたコンピュータ・システムのスクリーン上に提供することも可能である。
【００４３】
携帯電話装置３１宛ての送信ブロックを特定するために、本発明のテスター２５には選択装置２８も配置されている。本発明のテスター２５のオペレータにより設定されたこれらの仕様に基づいて、選択装置２８は下り回線信号のどの送信ブロックがテスター２５のアンテナ３０または接続ケーブルを介して、テストされている携帯電話装置宛のアドレス信号ＡＤＲを用いて送信されるかを定義する。この場合、図４を参照してすでに説明したように、異なる送信チャンネルおよび／または連続的に送信される多ブロックについて、テストされている携帯電話装置３１宛の異なる数の送信ブロックであって、多ブロック内で異なって配置されている送信ブロックをそれぞれの場合に送信することが可能である。
【００４４】
従って、選択装置２８は携帯電話装置３１に個別の変動可能なストレスを生成することが可能な手段２８．１を備える。もっとも単純な場合、この目的のために、使用する送信チャンネル毎に記憶しメモリを設け、このメモリに、連続的に送信された多ブロック用のプロフィールであってテストされている携帯電話装置３１に送信された送信ブロックの数と分布を特定したプロフィールを記憶する。テストされている携帯電話装置３１に送信された送信ブロックの数と分布を決定するために、続く多ブロックについての携帯電話装置宛のアドレス信号ＡＤＲの数と分布も先行する多ブロックから選択装置２８におけるルーチーンを用いて計算することも考え得る。
【００４５】
本発明に従う方法を実行してエラー・レートを決定する際に、この実行に使用される基地局２またはテスター２５と、テストされている携帯電話装置は周波数急変方法により相互に通信することも可能である。この場合、「送信チャンネル」という用語は、基地局２とテストされている携帯電話装置の間の、周波数の急変を含む接続に関する。これは、その場合は、送信チャンネルを新しい搬送周波数を用いて継続し、テストされている携帯電話装置宛ての送信ブロックの数の仕様が個々の周波数急変を考慮に入れていないことを意味する。
【図面の簡単な説明】
【００４６】
【図１】基地局から携帯電話装置に送信された信号を示す概略図である。
【図２】１つの送信チャンネルにおける複数の送信ブロックを示す概略図である。
【図３】本発明のテスターの概略図である。
【図４】テストされている携帯電話装置にそれぞれ１つの多ブロックの異なる数の送信ブロックを宛てる例を示す図である。
【図５】ＧＳＭ標準に従う携帯電話システムにおける情報送信を示す概略図である。
【図６】１つの送信チャンネルにおける基地局と複数の携帯電話装置の間の情報送信を説明する概略図である。
【符号の説明】
【００４７】
２  基地局
８  携帯電話装置
１４、１５、１６  送信チャンネル
１４．０、．．．、１４．１１、１５．０、．．．、１５．１１、１６．０、．．．、１６．１１  送信ブロック
２０、２１、２２、２３  多ブロック
２６  送受信装置
２６．１  送信装置
２６．２  受信装置
２７  評価装置
２８  選択装置
２８．１  手段（特定、配置）
ａｃｋ  第１の標識
ｎａｃｋ  第２の標識
Ｂ０0 、Ｂ３0 、Ｂ６0 、Ｂ９0 ；Ｂ０1 、Ｂ１1 、Ｂ５1 、Ｂ１０1 ；Ｂ０2 、Ｂ１2 、Ｂ５2 、Ｂ１０2 、Ｂ１3 、Ｂ３3 、Ｂ５3 、Ｂ７3 、Ｂ９3 ）  送信ブロック
【図１】
0004498352.tif 000002
【図２】
0004498352.tif 000003
【図３】
0004498352.tif 000004
【図４】
0004498352.tif 000005
【図５】
0004498352.tif 000006
【図６】
0004498352.tif 000007